(57)【要約】      （修正有）【課題】演奏方法を簡単で分かりやすくした、足で操作するコード専用楽器のレイアウトとその操作方法。【解決手段】順番、位置、角度について、時計の文字盤や行列の配置を参考にし、利用する。ぎこちない足の指や踵が操作するので、これらの接点はその位置が大まかに対応出来るよう設定してある。これらの接点は奏者の好みにより任意に左右を取り替え可能である。アルペジオで演奏する時は、右手親指の腹側にオン・オフスイッチを取り付け、靴の中敷に根音、３ｒｄ，５ｔｈ，７ｔｈ，の接点があるので、それを足の親指、または小指で操作する。【選択図】図２
2012008506.tif 000002
【特許請求の範囲】
【請求項１】
１２種の根音を片足で、１２通りあるコードの種類をもう片方の足で、同時に両足で操作すると１４４通りのコード演奏が出来るコード専用楽器のレイアウトとその奏法。
【請求項２】
１２通りあるコードを種類別に３行４列に分類し、足で操作し易くしたコード専用楽器のレイアウト及びその演奏方法。
【請求項３】
時計の文字盤のように円周上に並べられた１２通りの根音キーを、足で操作するコード専用楽器のキー配置及びその演奏方法。
【請求項４】
足の指や踵で操作する３ｒｄ，５ｔｈ，７ｔｈ，及び転回キーとその操作方法。
【請求項５】
アルペジオの演奏時に使用する右手親指用スイッチ。
【発明の詳細な説明】
【技術分野】
【０００１】  本発明は、足で操作するコード楽器のレイアウト及びその演奏方法に関するものである。
【背景技術】
【０００２】  コードは頻繁に使われるもので１４４通りあり、その中から目的のものを瞬時にしかも確実に選ばなければ、音は濁り不快に聞こえる。【０００３】  その為、瞬間に対応できてしかも明快な操作方法が求められる。その上、足を使って演奏するので、単純でわかり易い操作方法でなければならない。それには並べ方は重要で、特に順番、位置、角度に関しては思いをめぐらした。【０００４】  一つには、数字が切れ目なくずらりと並んだ電話番号だと分かりずらく、読み取るのにも苦労する。ところが、それをハイフン等で繋ぎ４桁程度の数字の組にするとかなり分かり易くなる。同様によく似たものが等間隔で並んでいると、どれも同じように見えて区別しずらい。そこで、それらを３つ、４つのまとまりとすればすっきりとし理解もし易くなる。このことはキーの配列にも応用できるのではないか。演奏中は目で確認することもままならず、全てを足だけで操作する楽器であれば尚更筋肉が容易に位置を覚えられることは必須条件といえる。【０００５】  また一つは、時計の文字盤が１２時からスタートして、１時２時とぐるっと回ってまた１２時に戻ってくるように、１２通りある根音についても同じように，例えばＣを１２時の位置に持ってくると、時計回りに，Ｄ，Ｅ，Ｆ，Ｇ，Ａ，Ｂ，と回って、また１２時のＣに戻ってくる。【０００６】  この場合、どの根音を１２時に持ってきても構わないが、一般的にはＡ  又は  Ｃ  を１２時に持ってくると使い勝手が良い。Ｃ画１２時だとＧは７時、Ａ  は９時になる。
【発明の開示】
【発明が解決しようとする課題】
【０００７】  鍵盤楽器の仲間は右手でメロディーを弾きつつ左手でアンサンブルも出来る優れものが多い。電子オルガンだと、それに加えて足で簡単なベースも弾くことが出来る。【０００８】  しかし、それが金管楽器だと、例えばトランペットの仲間は片手でバルブを押さえて演奏するが、その間は普通もう片方の手で楽器を支えている。ホルンだと左手で操作しつつ右手もそれなりに活躍している。【０００９】  これが木管楽器になると両手でキーを操作するので、まさに文字通り手塞がりの状態となり、とても一人で伴奏までは手が回らない。【００１０】  それゆえ、今まで一人で管楽器でメロディーを吹きながら一緒に複雑なコードを演奏することは出来なかった。言い換えると、同じ奏者が管楽器でメロディーを吹きつつ別の楽器で同時にアンサンブルも演奏するという方法は無かった。稀に、管楽器を吹きつつ空いた手でキーボードを操作する器用な人もいるが、どちらかを優先させて演奏せざるを得ず、全ての面で満足出来る演奏とは言い難い。【００１１】  ところが、そんな管楽器を演奏するのに，たとえ口や手は塞がっていても足は空いている。それなら、その空いている２本の足を活用してコード演奏が出来ないかと考えたのがこの楽器である。【００１２】  微妙なタッチで動き回り，目的の音を繊細に出せる手のようにはいかないが、大まかなオン・オフ程度の操作なら十分役目を果たすことが出来る。そこで次のように考えた。【００１３】  右足で、１２通りある根音をから目的のものを選ぶ。同時に左足で、１２通りあるコードの種類を選択する。その数は１２×１２で１４４通りとなり、演奏に使用されるコードとして十分カバー出来る。その為のレイアウトは単純で分かり易いことを旨とする。
【課題を解決するための手段】
【００１４】  ぎこちない足の指や踵が操作するので、これらの接点はその位置が大まかに対応出来るよう設定してある。これらの接点は奏者の好みにより任意に左右を取り替え可能である。【００１５】  アルペジオで演奏する時は、右手親指の腹側にオン・オフスイッチを取り付け、靴の中敷に根音、３ｒｄ，５ｔｈ，７ｔｈ，の接点があるので、それを足の親指、または小指で操作する。足の指は左右で計４接点のオン・オフが可能である。さらに転回をする時は足の踵部分接点があるので、左足の指を使用する時は右足の踵で、右足の指を使う時は左足の踵で転回スイッチを操作する。その為，合わせて６箇所の接点が左右の靴の中敷に設置される。【００１６】  通常はＡを１１０ヘルツに設定しているが、補助キーを操作することで１オクターブの上げ下げは可能である。
【発明の効果】
【００１７】  左手だけで複雑なコード演奏も出来るキーボードは優れた楽器ではあるが、小さな手の子供や女性にとってオクターブ近く手を広げることは至難の業である。【００１８】  一方、多くの管楽器は演奏するのに常に手が塞がっている。そこで足の出番となる。【００１９】  足は手のように器用には動かないが簡単な作業なら十分こなすことが出来る。そこで操作方法に工夫を凝らすことで初心者にも短時間の訓練で容易にコード演奏が出来るようになった。【００２０】  但し、足を使って演奏する為、立って演奏出来ない。またマーチング・バンドのように歩くことも出来ず椅子に座って演奏する。
【発明を実施するための最良の形態】
【００２１】  ２種ある楽器は左右の足どちらでも良く、奏者の好みによるが、一般的には左足に行列からなるコードの種類のボードを、右足に根音の円盤を持ってくると良い。【００２２】  行列からなるキーボードは誤操作を避ける為、それぞれの列は同間隔としない。メジャー系、マイナー系、その他で配列が微妙に異なる。【００２３】  根音の円盤は時計の文字盤と同様に等間隔で並べる。但し，Ｃ及びＡのみ位置関係が良く分かるように目立たせる。普通はＣを１２時に持ってくる。刷るとＡは９時になる。【００２４】足の指で操作するキーは、左足小指に３ｒｄ，親指に５ｔｈ、右足親指にルート、小指に７ｔｈ  を配置する。【００２５】  左右の足の踵はターンキーで、左足の指を使っている時は右踵、右足の指を使っている時は左踵を使用する。【００２６】  右手親指の腹側にアルペジオ用のスイッチを付ける。これはお琴の爪のように脱着が可能で、管楽器を支持する時に邪魔にならない大きさとする。【００２７】  ボードの横に補助キーを取り付け、１オクターブの上げ下げが出来るようにする。通常はＡを１１０ヘルツに設定している。よって、１オクターブ上げると２２０ヘルツに、下げると５５ヘルツになる。
【図面の簡単な説明】
【００２８】
【図１】  行列からなるキーボード
【図２】  根音の円盤
【図３】  足の指スイッチと踵スイッチ
【符号の説明】
【００２９】１  キーボードの台
２  □（□の中にキーの根音名がはいる）
３  □Ｍ７
４  □７
５  □６
６  □ｄｕｇ
７  □ｓｕｓ４
８  □ｍ７（ｂ５）
９  □ｄｉｍ
１０  □ｍ
１１  □ｍＭ７
１２  □ｍ７
１３  □ｍ６
１４  １オクターブ上げるキー
１５  １オクターブ下げるキー
１６  台
１７  Ｃの根音キー
１８  Ａの根音キー
１９  それぞれの根音キー
２０  ３ｒｄ
２１  ５ｔｈ
２２  ルート
２３  ７ｔｈ
２４  転回キー
【図１】
2012008506.tif 000003
【図２】
2012008506.tif 000004
【図３】
2012008506.tif 000005